【手続補正書】
【提出日】平成18年3月29日(2006.3.29)
【手続補正１】
【補正対象書類名】明細書
【補正対象項目名】特許請求の範囲
【補正方法】変更
【補正の内容】
【特許請求の範囲】
【請求項１】木材等の被加工材にあてがって丸鋸により前記被加工材を所定の角度に切断するときに、前記丸鋸のガイド片部の基準となる定規であって、
把手部と、該把手部から延長されて該把手部より板厚の薄い定規部とを有し、
前記把手部には、前記定規部を前記被加工物上に重ね合わせた状態で、該被加工物の縁部に当接して位置決めされ、前記定規部の面に対して垂直となる基準直線部が形成される一方、
前記定規部には、前記基準直線部に対して９０°の角度を有する９０度直線部と、前記基準直線部に対して４５°の角度を有する４５度直線部とを有し、
前記基準直線部を前記被加工材の縁部に当接させた状態で、前記９０度直線部に沿って前記ガイド片部を沿わせて前記被加工物を前記基準直線部に対して９０°の角度で切断し、前記４５度直線部に沿って前記ガイド片部を沿わせて前記被加工物を前記基準直線部に対して４５°の角度で切断することを特徴とする定規。
【請求項２】上底辺、下底辺、前記上底辺の一端と前記下底辺の一端とを結ぶ高さ辺、及び、前記上底辺の他端と前記下底辺の他端とを結ぶ傾斜辺とで囲まれて台形状に成形され、前記下底辺と前記高さ辺とで９０°の角度を形成するコーナーと、前記下底辺と前記傾斜辺とで４５°の角度を形成するコーナーと、前記上底辺と前記高さ辺とで９０°の角度を形成する９０度角部及び前記上底辺と前記傾斜辺とで１３５°の角度を形成する１３５度角部を有するコーナーとが設けられた所定の厚みを有する板状の台形状の定規部を有し、該定規部には、前記高さ辺に沿って該定規部の厚みよりも厚い把手が設けられ、該把手には、前記弾性部材の面と垂直であると共に前記高さ辺と平行な直線状の基準直線面が形成されたことを特徴とする定規。
【請求項３】前記定規部における前記下底辺と前記傾斜辺とで４５°の角度を形成するコーナーの部位が、前記高さ辺と平行に切断されて成形されたことを特徴とする請求項２に記載の定規。
【請求項４】ほぼ四角形の底板の外周上に四面を形成する側板を設け、前記底板のほぼ中央に丸鋸の軸装用孔を挿入させるための突出部を立設し、前記底板の上方に、前記側板により形成するほぼ四角形の空間部を設け、一方を除く三方の側板上縁に、蓋体を一方から着脱可能にしうる蓋体支持部を設けてなるケース本体に使用する蓋体であって、前記ケース本体の空間部に装着する前には、ほぼ三角形状に２分される先に装着する側の一方の蓋体と後から装着する側の他方の蓋体とからなり、前記空間部に装着した時には、ほぼ四角形状に形成されてなり、前記後から装着する側の他方の蓋体として請求項１乃至３の何れか一つに記載の定規が用いられることを特徴とする丸鋸収納ケース用蓋。
【請求項５】ほぼ四角形の底板の外周上に四面を形成する側板を設け、前記底板の上方に、前記側板により形成するほぼ四角形の空間部を設け、一方を除く三方の側板上縁に、蓋体を一方から着脱可能にしうる蓋体支持部を設けてなるケース本体に使用する蓋体であって、前記ケース本体の空間部に装着する前には、ほぼ三角形状に２分される先に装着する側の一方の蓋体と後から装着する側の他方の蓋体とからなり、前記空間部に装着した時には、ほぼ四角形状に形成されてなり、前記後から装着する側の他方の蓋体として請求項１乃至３の何れか一つに記載の定規が用いられることを特徴とする丸鋸収納ケース用蓋。
【請求項６】請求項４乃至請求項５に記載の収納ケース用蓋において、前記ほぼ三角形状にそれぞれ２分されている蓋体のうち、前記先に装着する側の一方の蓋体の形状は、直角を形成するコーナーと、４５°の角度を形成するコーナーと、４５°の角度の先端を僅かに切落して直角を形成するコーナーを設けた実質的二等辺三角形を構成することを特徴とする丸鋸収納ケース用蓋。
【請求項７】請求項４乃至請求項５に記載の収納ケース用蓋において、前記ほぼ三角形状にそれぞれ２分されている蓋体のうち、前記先に装着する側の一方の蓋体の形状は、直角を形成するコーナーと、４５°の角度を形成する２つのコーナーを設けた二等辺三角形を構成することを特徴とする丸鋸収納ケース用蓋。
【請求項８】請求項６乃至請求項７に記載の収納ケース用蓋において、前記他方の蓋体に設けた前記把手の近傍に、底板に設けたフック掛止用孔に対応するフック掛止用孔を設けたことを特徴とする丸鋸収納ケース用蓋。
【手続補正２】
【補正対象書類名】明細書
【補正対象項目名】０００４
【補正方法】変更
【補正の内容】
【０００４】
かかる課題を解決するために、請求項１に記載の発明は、木材等の被加工材にあてがって丸鋸により前記被加工材を所定の角度に切断するときに、前記丸鋸のガイド片部の基準となる定規であって、把手部と、該把手部から延長されて該把手部より板厚の薄い定規部とを有し、前記把手部には、前記定規部を前記被加工物上に重ね合わせた状態で、該被加工物の縁部に当接して位置決めされ、前記定規部の面に対して垂直となる基準直線部が形成される一方、前記定規部には、前記基準直線部に対して９０°の角度を有する９０度直線部と、前記基準直線部に対して４５°の角度を有する４５度直線部とを有し、前記基準直線部を前記被加工材の縁部に当接させた状態で、前記９０度直線部に沿って前記ガイド片部を沿わせて前記被加工物を前記基準直線部に対して９０°の角度で切断し、前記４５度直線部に沿って前記ガイド片部を沿わせて前記被加工物を前記基準直線部に対して４５°の角度で切断する定規としたことを特徴とする。
【手続補正３】
【補正対象書類名】明細書
【補正対象項目名】０００５
【補正方法】変更
【補正の内容】
【０００５】
請求項２に記載の発明は、上底辺、下底辺、前記上底辺の一端と前記下底辺の一端とを結ぶ高さ辺、及び、前記上底辺の他端と前記下底辺の他端とを結ぶ傾斜辺とで囲まれて台形状に成形され、前記下底辺と前記高さ辺とで９０°の角度を形成するコーナーと、前記下底辺と前記傾斜辺とで４５°の角度を形成するコーナーと、前記上底辺と前記高さ辺とで９０°の角度を形成する９０度角部及び前記上底辺と前記傾斜辺とで１３５°の角度を形成する１３５度角部を有するコーナーとが設けられた所定の厚みを有する板状の台形状の定規部を有し、該定規部には、前記高さ辺に沿って該定規部の厚みよりも厚い把手が設けられ、該把手には、前記弾性部材の面と垂直であると共に前記高さ辺と平行な直線状の基準直線面が形成された定規としたことを特徴とする。
【手続補正４】
【補正対象書類名】明細書
【補正対象項目名】０００６
【補正方法】変更
【補正の内容】
【０００６】
請求項３に記載の発明は、請求項２に記載の構成に加え、前記定規部における前記下底辺と前記傾斜辺とで４５°の角度を形成するコーナーの部位が、前記高さ辺と平行に切断されて成形されたことを特徴とする。
【手続補正５】
【補正対象書類名】明細書
【補正対象項目名】０００７
【補正方法】変更
【補正の内容】
【０００７】
請求項４に記載の発明は、ほぼ四角形の底板の外周上に四面を形成する側板を設け、前記底板のほぼ中央に丸鋸の軸装用孔を挿入させるための突出部を立設し、前記底板の上方に、前記側板により形成するほぼ四角形の空間部を設け、一方を除く三方の側板上縁に、蓋体を一方から着脱可能にしうる蓋体支持部を設けてなるケース本体に使用する蓋体であって、前記ケース本体の空間部に装着する前には、ほぼ三角形状に２分される先に装着する側の一方の蓋体と後から装着する側の他方の蓋体とからなり、前記空間部に装着した時には、ほぼ四角形状に形成されてなり、前記後から装着する側の他方の蓋体として請求項１乃至３の何れか一つに記載の定規が用いられる丸鋸収納ケース用蓋としたことを特徴とする。
【手続補正６】
【補正対象書類名】明細書
【補正対象項目名】０００８
【補正方法】変更
【補正の内容】
【０００８】
請求項５に記載の発明は、ほぼ四角形の底板の外周上に四面を形成する側板を設け、前記底板の上方に、前記側板により形成するほぼ四角形の空間部を設け、一方を除く三方の側板上縁に、蓋体を一方から着脱可能にしうる蓋体支持部を設けてなるケース本体に使用する蓋体であって、前記ケース本体の空間部に装着する前には、ほぼ三角形状に２分される先に装着する側の一方の蓋体と後から装着する側の他方の蓋体とからなり、前記空間部に装着した時には、ほぼ四角形状に形成されてなり、前記後から装着する側の他方の蓋体として請求項１乃至３の何れか一つに記載の定規が用いられる丸鋸収納ケース用蓋としたことを特徴とする。
請求項６に記載の発明は、請求項４乃至請求項５に記載の収納ケース用蓋において、前記ほぼ三角形状にそれぞれ２分されている蓋体のうち、前記先に装着する側の一方の蓋体の形状は、直角を形成するコーナーと、４５°の角度を形成するコーナーと、４５°の角度の先端を僅かに切落して直角を形成するコーナーを設けた実質的二等辺三角形を構成する丸鋸収納ケース用蓋としたことを特徴とする。
請求項７に記載の発明は、請求項４乃至請求項５に記載の収納ケース用蓋において、前記ほぼ三角形状にそれぞれ２分されている蓋体のうち、前記先に装着する側の一方の蓋体の形状は、直角を形成するコーナーと、４５°の角度を形成する２つのコーナーを設けた二等辺三角形を構成する丸鋸収納ケース用蓋としたことを特徴とする。
請求項８に記載の発明は、請求項６乃至請求項７に記載の収納ケース用蓋において、前記他方の蓋体に設けた前記把手の近傍に、底板に設けたフック掛止用孔に対応するフック掛止用孔を設けた丸鋸収納ケース用蓋としたことを特徴とする。
【手続補正７】
【補正対象書類名】明細書
【補正対象項目名】００１１
【補正方法】変更
【補正の内容】
【００１１】
図１、図５に示すように、１は、本発明に係る丸鋸収納ケース用蓋の一実施例であり、例えば透明または不透明な硬質プラスチック製の蓋体１ａ及び蓋体１ｂから構成されている。このうち、蓋体１ｂは、後述する「定規部」としても用いられることが可能である。この収納ケース用蓋１は、図４に示す例えば透明または不透明な硬質プラスチック製のケース本体２の空間部３に装着する前には、ほぼ三角形状に２分されており、空間部３に装着した時には、図５に示すように互いに接合（接合部８）してほぼ四角形状を形成している。
【手続補正８】
【補正対象書類名】明細書
【補正対象項目名】００１２
【補正方法】変更
【補正の内容】
【００１２】
この蓋体１ａ、１ｂについて、図１、図５に基づき、さらに詳細に説明する。ほぼ三角形状にそれぞれ２分されている蓋体１ａ、１ｂのうち、ケース本体２に先に装着する側の一方の蓋体１ａの形状は、直角を形成するコーナー１ａａと、４５°の角度を形成するコーナー１ａｂと、４５°の角度の先端を僅かに切落して直角を形成するコーナー１ａｃを設けた実質的二等辺三角形を構成し、後から装着する側の他方の蓋体１ｂの形状は、直角を形成するコーナー１ｂａと、４５°の角度を形成するコーナー１ｂｂと、４５°の角度の先端を大幅に切落して直角を形成するコーナー１ｂｃと、この４５°の角度の先端を大幅に切落して直角を形成するコーナー１ｂｃと前記直角を形成するコーナー１ｂａとの間に、把手取付部１ｂｄを設けた実質的二等辺三角形を構成すると共に、この把手取付部１ｂｄには、図２に示すように把手部材４ａを貼り合わせて構成した所要の厚みを有する把手４が取付けられている。
すなわち、ほぼ三角形状にそれぞれ２分されている蓋体１ａ、１ｂのうち、ケース本体２に後から装着する側の「定規部」である他方の蓋体１ｂは、上底辺ｍ−１、下底辺ｎ−１、上底辺ｍ−１の一端と下底辺ｎ−１の一端とを結ぶ高さ辺ｐ−１、及び、上底辺ｍ−１の他端と下底辺ｎ−１の他端とを結ぶである傾斜辺ｑ−１とで囲まれて台形状に成形され、下底辺ｎ−１と高さ辺ｐ−１とで９０°の角度を形成するコーナー１ｂａと、下底辺ｎ−１と傾斜辺ｑ−１とで４５°の角度を形成するコーナー１ｂｂと、上底辺ｍ−１と高さ辺ｐ−１とで９０°の角度を形成する直角部ｘ−１及び上底辺ｍ−１と傾斜辺ｑ−１とで１３５°の角度を形成する１３５度角部ｙ−１を有するコーナー１ｂｃとが設けられ、所定の厚みを有する板状の部材である。また、「定規部」である蓋体１ｂには、高さ辺ｐ−１に沿って高さ辺ｐ−１と平行で直線状に、かつ、蓋体１ｂの面と垂直に「基準直線部」である基準直線面５０が形成された把手４が設けられている。そして、この蓋体１ｂと把手４とによって、定規１００が構成される。
このため、定規１００は、高さ辺ｐ−１と、高さ辺ｐ−１に対して９０°の角度を有する「９０度直線部」である下底辺ｎ−１と、高さ辺ｐ−１に対して４５°の角度を有する「４５度直線部」である傾斜辺ｑ−１とによって、略三角形に形成されている。
【手続補正９】
【補正対象書類名】明細書
【補正対象項目名】００１３
【補正方法】変更
【補正の内容】
【００１３】
この把手４は、前記他方の蓋体１ｂの蓋体支持部５に対する着脱を安全にして確実、容易に行うために設けられたものである。また、把手４には、「基準直線部」である基準直線面５０が、蓋体１ｂの面と垂直となるように形成されている。前記把手取付部１ｂｄの近傍には、ケース本体２の底板２ｂに設けたフック掛止用孔２ｃに対応するフック掛止用孔１ｂｅが設けられている。なお、前記把手４は、図３に示すように所要の厚みを有する把手部材４ａに、蓋体１ｂの把手取付部１ｂｄを嵌め込むことによって構成しても良い。
【手続補正１０】
【補正対象書類名】明細書
【補正対象項目名】００１８
【補正方法】変更
【補正の内容】
【００１８】
図８において、ほぼ三角形状にそれぞれ２分されている蓋体１ｃ、１ｄのうち、先に装着する側の一方の蓋体１ｃの形状は、直角を形成するコーナー１ｃａと、４５°の角度を形成する２つのコーナー１ｃｂを設けた二等辺三角形を構成し、後から装着する側の「定規部」である他方の蓋体１ｄの形状は、直角を形成するコーナー１ｄａと、４５°の角度の先端を僅かに切落して直角を形成するコーナー１ｄｂと、４５°の角度の先端を大幅に切落して直角を形成するコーナー１ｄｃと、この４５°の角度の先端を大幅に切落して直角を形成するコーナー１ｄｃと前記直角を形成するコーナー１ｄａとの間に、把手取付部１ｄｄを設けた実質的二等辺三角形を構成すると共に、この把手取付部１ｄｄには、所要の厚みを有する把手４が取付けられている。
すなわち、後から装着する側の「定規部」である他方の蓋体１ｄは、蓋体１ｂにおける下底辺ｎ−１と傾斜辺ｑ−１とで４５°の角度を形成するコーナー１ｂｂの部位が、高さ辺ｐ−１と平行に切断されて切断部ｒが形成され、この切断部ｒが形成されたコーナー１ｄｂを有する。また、蓋体１ｄの高さ辺ｐ−１に沿って高さ辺ｐ−１と平行で直線状に、かつ、蓋体１ｂと垂直に基準直線面５０が形成された把手４が設けられている。そして、この蓋体１ｄと把手４とによって、定規２００が構成される。
このため、定規２００も、高さ辺ｐ−１と、高さ辺ｐ−１に対して９０°の角度を有する「９０度直線部」である下底辺ｎ−１と、高さ辺ｐ−１に対して４５°の角度を有する「４５度直線部」である傾斜辺ｑ−１とによって、略三角形に形成されている。
この把手取付部１ｄｄの近傍には、ケース本体２の底板２ｂに設けたフック掛止用孔２ｃに対応するフック掛止用孔１ｄｅが設けられている。このような構成にすると、前記ケース本体２の側板上縁に設けた蓋体支持部５に対する他方の蓋体１ｄの両端に形成する掛けしろ面積が増加して、安定な装着が可能となる。
【手続補正１１】
【補正対象書類名】明細書
【補正対象項目名】００２０
【補正方法】変更
【補正の内容】
【００２０】
図１０は、他方の蓋体１ｂを、工作時の治具として使用する場合の実施例を示すものであるが、他方の蓋体１ｂを、切断したい木材などの被加工材１１にあてがい、丸鋸６のガイド片部６′をｎ−１辺に沿って矢印ａ方向に移動させていくと、この被加工材１１は確実に直角に切断（切断部Ｓ）される。また、図１１は、他方の蓋体１ｂを工作時の治具として使用する場合の他の実施例を示すものであるが、他方の蓋体１ｂを、切断したい被加工材１１にあてがい、丸鋸６のガイド片部６′をｑ−１辺に沿って矢印ｂ方向に移動させていくと、この被加工材１１は確実に斜めに切断（切断部Ｓ）される。
【手続補正１２】
【補正対象書類名】図面
【補正対象項目名】図１
【補正方法】変更
【補正の内容】
【図１】
2002036148.tif 000001
【手続補正１３】
【補正対象書類名】図面
【補正対象項目名】図２
【補正方法】変更
【補正の内容】
【図２】
2002036148.tif 000002
【手続補正１４】
【補正対象書類名】図面
【補正対象項目名】図３
【補正方法】変更
【補正の内容】
【図３】
2002036148.tif 000003
【手続補正１５】
【補正対象書類名】図面
【補正対象項目名】図５
【補正方法】変更
【補正の内容】
【図５】
2002036148.tif 000004
【手続補正１６】
【補正対象書類名】図面
【補正対象項目名】図６
【補正方法】変更
【補正の内容】
【図６】
2002036148.tif 000005
【手続補正１７】
【補正対象書類名】図面
【補正対象項目名】図８
【補正方法】変更
【補正の内容】
【図８】
2002036148.tif 000006
【手続補正１８】
【補正対象書類名】図面
【補正対象項目名】図９
【補正方法】変更
【補正の内容】
【図９】
2002036148.tif 000007
【手続補正１９】
【補正対象書類名】図面
【補正対象項目名】図１０
【補正方法】変更
【補正の内容】
【図１０】
2002036148.tif 000008
【手続補正２０】
【補正対象書類名】図面
【補正対象項目名】図１１
【補正方法】変更
【補正の内容】
【図１１】
2002036148.tif 000009